(57)【要約】      （修正有）【課題】本考案は、捻回式ランプとの電気的接触機能、装着安定性に優れた捻回式ランプ用ソケットを提供する。【解決手段】本考案に係る捻回式ランプ用ソケットは、ランプ本体から突出する突出ピン型の一対の電極部を備えた捻回式ランプが装着される捻回式ランプ用のソケットであって、一対の電極部が捻回装着される一対の電極受穴２２及び一対の収容穴２４を備えるとともに、捻回式ランプへの通電用の一対の通電ケーブルを備えた絶縁材からなるソケット本体と、一対の収容穴２４と一対の電極受穴２２とにわたって各々配置され、通電ケーブルに各々接続されるとともに、収容穴２４に固定される板バネ式の一対の電極部抑え部材５とを有し、電極部抑え部材５により、電極受穴２２内に電極部が装着された状態で電極部の外周に電極部抑え部材５の電極接触片６ｃを押圧接触させて捻回式ランプの電極部の戻り規制を行なうものである。【選択図】図４
0003131214.tif 000002
【実用新案登録請求の範囲】
【請求項１】
ランプ本体から突出する突出ピン型の一対の電極部を備えた捻回式ランプが装着される捻回式ランプ用のソケットであって、
前記一対の電極部が捻回装着される一対の電極受穴を備えるとともに、前記捻回式ランプへの通電用の一対の通電ケーブルを備えた絶縁材からなるソケット本体と、
このソケット本体の一対の電極受穴に臨ませて各々配置され、前記一対の通電ケーブルに各々接続されるとともに、前記一対の電極受穴内に一対の電極部が装着された状態で各電極部の外周に各々押圧接触して各電極部の戻り規制を行なう導電材からなり板バネ式の一対の電極部抑え部材と、
を有することを特徴とする捻回式ランプ用のソケット。
【請求項２】
ランプ本体から突出する突出ピン型の一対の電極部を備えた捻回式ランプが装着される捻回式ランプ用のソケットであって、
前記一対の電極部が捻回装着される一対の電極受穴及び各電極受穴に連なる一対の収容穴を備えるとともに、前記捻回式ランプへの通電用の一対の通電ケーブルを備えた絶縁材からなるソケット本体と、
このソケット本体の一対の収容穴と一対の電極受穴とにわたって各々配置され、前記一対の通電ケーブルに各々接続されるとともに、収容穴に固定される基部、基部に連なるＵ状バネ片及びＵ状バネ片に連なり前記電極部の外周に押圧接触する湾曲面を有する電極接触片の一体構造で導電材からなり板バネ式の一対の電極部抑え部材と、
を有し、
各電極部抑え部材により、前記一対の電極受穴内に一対の電極部が装着された状態で各電極部の外周に各々前記各電極接触片を押圧接触させて各電極部の戻り規制を行なうようにしたことを特徴とする捻回式ランプ用のソケット。
【請求項３】
ランプ本体から突出する突出ピン型の一対の電極部を備えた捻回式ランプが装着される捻回式ランプ用のソケットであって、
前記捻回式ランプの挿入穴を有する上ソケット部と、前記一対の電極部が捻回装着される一対の上部側にテーパ穴部を有する電極受穴及び各電極受穴に連なる一対の収容穴を備える中ソケット部と、この中ソケット部の下側に配置され前記捻回式ランプへの通電用の一対の通電ケーブルを備えた下ソケット部との３段構造で一体化された絶縁材からなるソケット本体と、
このソケット本体の一対の収容穴と一対の電極受穴とにわたって各々配置され、前記一Ｕ状バネ片及びＵ状バネ片に連なり前記電極部の外周に押圧接触する湾曲面を有する電極接触片対の通電ケーブルに各々接続されるとともに、収容穴に固定される基部、基部に連なるの一体構造で導電材からなり板バネ式の一対の電極部抑え部材と、
を有し、
各電極部抑え部材により、前記一対の電極受穴内に一対の電極部が装着された状態で各電極部の外周に各々前記各電極接触片を押圧接触させて各電極部の戻り規制を行なうようにしたことを特徴とする捻回式ランプ用のソケット。
【請求項４】
ランプ本体から突出する突出ピン型の一対の電極部を備えた捻回式ランプが装着される捻回式ランプ用のソケットであって、
前記一対の電極部が捻回装着される一対の電極受穴を備えるとともに、前記捻回式ランプへの通電用の一対の通電ケーブルを備えた絶縁材からなるソケット本体と、
このソケット本体の一対の電極受穴に臨ませて各々配置され、前記一対の通電ケーブルに各々接続されるとともに、前記一対の電極受穴内に一対の電極部が装着された状態で各電極部の外周に各々押圧接触して各電極部の戻り規制を行なう導電材からなり板バネ式の一対の電極部抑え部材と、
前記ソケット本体に装着される捻回式ランプの外周部に押圧接触して捻回式ランプの離脱防止を行なうリング状バネ材と、
を有することを特徴とする捻回式ランプ用のソケット。
【請求項５】
ランプ本体から突出する突出ピン型の一対の電極部を備えた捻回式ランプが装着される捻回式ランプ用のソケットであって、
前記一対の電極部が捻回装着される一対の電極受穴及び各電極受穴に連なる一対の収容穴を備えるとともに、前記捻回式ランプへの通電用の一対の通電ケーブルを備えた絶縁材からなるソケット本体と、
このソケット本体の一対の収容穴と一対の電極受穴とにわたって各々配置され、前記一対の通電ケーブルに各々接続されるとともに、収容穴に固定される基部、基部に連なるＵ状バネ片及びＵ状バネ片に連なり前記電極部の外周に押圧接触する湾曲面を有する電極接触片の一体構造で導電材からなり板バネ式の一対の電極部抑え部材と、
前記ソケット本体に装着される捻回式ランプの外周部に押圧接触して捻回式ランプの離脱防止を行なうリング状バネ材と、
を有し、
各電極部抑え部材により、前記一対の電極受穴内に一対の電極部が装着された状態で各電極部の外周に各々前記各電極接触片を押圧接触させて各電極部の戻り規制を行なうようにしたことを特徴とする捻回式ランプ用のソケット。
【請求項６】
ランプ本体から突出する突出ピン型の一対の電極部を備えた捻回式ランプが装着される捻回式ランプ用のソケットであって、
前記捻回式ランプの挿入穴を有する上ソケット部と、前記一対の電極部が捻回装着される一対の上部側にテーパ穴部を有する電極受穴及び各電極受穴に連なる一対の収容穴を備える中ソケット部と、この中ソケット部の下側に配置され前記捻回式ランプへの通電用の一対の通電ケーブルを備えた下ソケット部との３段構造で一体化された絶縁材からなるソケット本体と、
このソケット本体の一対の収容穴と一対の電極受穴とにわたって各々配置され、前記一対の通電ケーブルに各々接続されるとともに、収容穴に固定される基部、基部に連なるＵ状バネ片及びＵ状バネ片に連なり前記電極部の外周に押圧接触する湾曲面を有する電極接触片の一体構造で導電材からなり板バネ式の一対の電極部抑え部材と、
前記ソケット本体における上ソケット部の挿入穴に臨ませて配置され、ソケット本体に装着される捻回式ランプの外周部に押圧接触して捻回式ランプの離脱防止を行なうリング状バネ材と、
を有し、
各電極部抑え部材により、前記一対の電極受穴内に一対の電極部が装着された状態で各電極部の外周に各々前記各電極接触片を押圧接触させて各電極部の戻り規制を行なうようにしたことを特徴とする捻回式ランプ用のソケット。
【請求項７】
前記上ソケット部は、黒色であることを特徴とする請求項３又は６記載の捻回式ランプ用のソケット。
【考案の詳細な説明】
【技術分野】
【０００１】
本考案は、捻回式ランプ用のソケットに関し、詳しくは、装着される捻回式ランプとの電気的接触機能、装着、交換機能の向上、更には捻回式ランプの脱落防止を図った捻回式ランプ用ソケットに関するものである。
【背景技術】
【０００２】
従来、突出ピン型の一対の電極部を備えた捻回式ランプが装着される捻回式ランプ用のソケットは、一対の電極部との電気的接触を行なう電極受機構と、捻回式ランプの脱落防止を図る脱落防止機構とが一体的な構造のものが殆どであり、このため、捻回式ランプの電極部との電気的接触性、捻回式ランプの装着安定性の点で必ずしも充分なものではなかった。
【０００３】
特許文献１には、図７、図８に示すように、ソケット本体５１に電球の電極部が嵌着される一対のＵ状の接点体５２と、この一対の接点体５２を各々付勢し接点体５２と電球の電極部との接触性を高める一対のコイルバネ５３とを有し、一対の接点体５２を各々一対の通電ケーブル５４に接続した構成からなる電球用ソケット５０が従来技術として提案されている。
【０００４】
しかし、この特許文献１に開示された電球用ソケット５０の場合、電球の脱落防止の点については配慮されていない。
【特許文献１】特開２００３−８６３１２号公報
【考案の開示】
【考案が解決しようとする課題】
【０００５】
本考案が解決しようとする問題点は、装着される捻回式ランプとの電気的接触機能、装着安定性に優れた捻回式ランプ用ソケットが存在しない点である。
【課題を解決するための手段】
【０００６】
本考案は、ランプ本体から突出する突出ピン型の一対の電極部を備えた捻回式ランプが装着される捻回式ランプ用のソケットであって、前記一対の電極部が捻回装着される一対の電極受穴を備えるとともに、前記捻回式ランプへの通電用の一対の通電ケーブルを備えた絶縁材からなるソケット本体と、このソケット本体の一対の電極受穴に臨ませて各々配置され、前記一対の通電ケーブルに各々接続されるとともに、前記一対の電極受穴内に一対の電極部が装着された状態で各電極部の外周に各々押圧接触して各電極部の戻り規制を行なう導電材からなり板バネ式の一対の電極部抑え部材と、を有することを最も主要な特徴とする。
【考案の効果】
【０００７】
請求項１記載の考案によれば、ソケット本体の一対の電極受穴に臨ませて導電材からなり板バネ式の一対の電極部抑え部材を配置したことにより、装着される捻回式ランプとの電気的接触機能、装着安定性に優れた捻回式ランプ用ソケットを提供できる。
【０００８】
請求項２記載の考案によれば、ソケット本体の一対の収容穴と一対の電極受穴とにわたって基部、基部に連なるＵ状バネ片及びＵ状バネ片に連なり前記電極部の外周に押圧接触する湾曲面を有する電極接触片の一体構造で導電材からなり板バネ式の一対の電極部抑え部材を配置したことにより、装着される捻回式ランプとの電気的接触機能、装着安定性に優れた捻回式ランプ用ソケットを提供できる。
【０００９】
請求項３記載の考案によれば、請求項２記載の考案と同様な構成で、かつ、捻回式ランプの挿入穴を有する上ソケット部を含む３段構造のソケット本体を有することから、請求項２記載の考案と同様な効果を奏し、かつ、捻回式ランプによるランプグレアをも防止できる捻回式ランプ用ソケットを提供できる。
【００１０】
請求項４記載の考案によれば、請求項１記載の考案と同様な効果を奏するとともに、ソケット本体に装着される捻回式ランプの外周部に押圧接触して捻回式ランプの離脱防止を行なうリング状バネ材を備えることから、捻回式ランプのガタつきやブレを防止でき、更には、捻回式ランプの離脱防止を確実に実現できる安全性に優れた捻回式ランプ用ソケットを提供できる。
【００１１】
請求項５記載の考案によれば、請求項２記載の考案と同様な効果を奏するとともに、捻回式ランプの挿入穴を最大限拡げる構造にして該ランプを挿入し易くしつつ、ソケット本体に装着される捻回式ランプの外周部に押圧接触して捻回式ランプの離脱防止を行なうリング状バネ材を備えることから、接点とリング状バネ材による戻り止め構造により、捻回式ランプのガタつきやブレを防止でき、更には、捻回式ランプの離脱防止を確実に実現できる安全性に優れた捻回式ランプ用ソケットを提供できる。
【００１２】
請求項６記載の考案によれば、請求項３記載の考案と同様な効果を奏するとともに、捻回式ランプの挿入穴を最大限拡げる構造にして該ランプを挿入し易くしつつ、上ソケット部、中ソケット部、下ソケット部の３段構造で一体化されたソケット本体に装着される捻回式ランプの外周部に押圧接触して捻回式ランプの離脱防止を行なうリング状バネ材を備えることから、接点とリング状バネ材による戻り止め構造により、捻回式ランプのガタつきやブレを防止でき、更には、捻回式ランプの離脱防止を確実に実現できる安全性に優れた捻回式ランプ用ソケットを提供できる。
請求項７記載の考案によれば、上ソケット部を黒色に形成して捻回式ランプによるランプグレアを防止しつつ請求項３又は６記載の考案と同様な効果を奏する捻回式ランプ用ソケットを提供できる。
【考案を実施するための最良の形態】
【００１３】
本考案は、装着される捻回式ランプとの電気的接触機能、装着安定性に優れた捻回式ランプ用ソケットを提供するという目的を、ランプ本体から突出する突出ピン型の一対の電極部を備えた捻回式ランプが装着される捻回式ランプ用のソケットであって、前記一対の電極部が捻回装着される一対の電極受穴及び各電極受穴に連なる一対の収容穴を備えるとともに、前記捻回式ランプへの通電用の一対の通電ケーブルを備えた絶縁材からなるソケット本体と、このソケット本体の一対の収容穴と一対の電極受穴とにわたって各々配置され、前記一対の通電ケーブルに各々接続されるとともに、収容穴に固定される基部、基部に連なるＵ状バネ片及びＵ状バネ片に連なり前記電極部の外周に押圧接触する湾曲面を有する電極接触片の一体構造で導電材からなり板バネ式の一対の電極部抑え部材と、を有し、各電極部抑え部材により、前記一対の電極受穴内に一対の電極部が装着された状態で各電極部の外周に各々前記各電極接触片を押圧接触させて、各電極部とリング状バネ材との併用構造によりランプのガタつきやブレを防止できるソケットを実現した。
【実施例】
【００１４】
以下に、本考案の実施例に係る捻回式ランプ４０用のソケット１について図１乃至図６を参照して詳細に説明する。
【００１５】
本考案の実施例に係る捻回式ランプ４０用のソケット１は、図１乃至図４に示すように、ランプ本体４１から突出する突出ピン型の一対の電極部４２ａ、４２ｂを備えた捻回式ランプ４０を装着して点灯させるものである。
【００１６】
すなわち、捻回式ランプ４０用のソケット１は、前記捻回式ランプ４０用の円形の挿入穴１２を有した例えば黒色に着色した絶縁材からなる上ソケット部１１と、前記一対の電極部４２ａ、４２ｂが捻回装着される一対の上部側にテーパ穴部２３を有する電極受穴２２及び各電極受穴２２に連なり一対の四角形状の（最大）収容穴２４を備える絶縁材からなる中ソケット部２１と、この中ソケット部２１の下側に配置され、前記捻回式ランプ４０への通電用の一対の通電ケーブル４３ａ、４３ｂの一端を各々取り付けた絶縁材からなる下ソケット部３１との３段構造で、上ソケット部１１、中ソケット部２１、下ソケット部３１の外周近傍を上下に貫くように嵌装配置したネジ２を用いて一体化した全体として四隅を丸めた直方体状を呈するソケット本体４を具備している。
【００１７】
前記中ソケット部２１に設けた電極受穴２２は、図１、図４に示すように、前記電極部４２ａ、４２ｂがテーパ穴部２３を通過して各々挿入される最大限に拡げる構造とした大寸法の電極挿入穴部２２ａと、前記電極部４２ａ、４２ｂが捻回して装着される小寸法の電極装着穴部２２ｂとを連ねた変形穴形状に形成している。
【００１８】
また、前記捻回式ランプ４０用のソケット１は、板バネ式の一対の電極部抑え部材５を、前記一対の収容穴２４と一対の電極受穴２２とにわたって各々配置している。
【００１９】
すなわち、前記各電極部抑え部材５は、図４、図５に示すように、銅板、ステンレス板等のバネ性を有する導電材を用いて形成した前記収容穴２４に固定される各基部６ａ、基部６ａに連なるＵ状の各バネ片６ｂ及びこのバネ片６ｂに連なり前記電極部４２ａ、４２ｂの外周に押圧接触する湾曲面を有する各電極接触片６ｃの一体構造で、各電極接触片６ｃを前記各電極装着穴部２２ｂに各々臨ませている。
【００２０】
そして、前記各電極部抑え部材５により、前記一対の電極装着穴部２２ｂ内に一対の電極部４２ａ、４２ｂが捻回装着された状態で、各電極部４２ａ、４２ｂの外周に各々前記各電極接触片６ｃを押圧接触させて各電極部４２ａ、４２ｂの戻り規制を行なうように構成している。
【００２１】
更に、捻回式ランプ４０用のソケット１は、図１、図６に示すように、例えば弾性を有するステンレス線材等からなる略四角形状を呈するリング状バネ材７を、前記ソケット本体４における前記上ソケット部１１の挿入穴１２の下部に臨ませて配置している。
【００２２】
前記リング状バネ材７は、前記上ソケット部１１と中ソケット部２１との境界部に配置されるものであり、平行配置の直線部８ａ、８ｂ、直線部８ａ、８ｂの各一端側を連結する弧状の連結部８ｃ、直線部８ａ、８ｂの各他端側から互いに近付くように突出させた弧状突出部８ｄ、８ｅ及び弧状突出部８ｄ、８ｅの突出端に各々設けた屈曲止部８ｆ、８ｇを具備している。
【００２３】
そして、前記屈曲止部８ｆ、８ｇを、例えば前記中ソケット部２１に設けた図示しないが一対の受穴に嵌着してリング状バネ材７を前記上ソケット部１１と中ソケット部２１間に固定するとともに、前記リング状バネ材７の直線部８ａ、８ｂを、図１に示すように、前記挿入穴１２の下部に臨ませ、この挿入穴１２内に挿入される前記捻回式ランプ４０におけるランプ本体４１の外周部を挟み込むようにして前記直線部８ａ、８ｂを各々押圧接触させ、捻回式ランプ４０の離脱防止を行なうようになっている。
【００２４】
本実施例に係る捻回式ランプ４０用のソケット１は、更に、図１乃至図３に示すように、所定の取り付け箇所へ固定するための取付穴９ａ、９ｂを有する取付金具９を下ソケット部３１に固着している。
【００２５】
次に、本実施例に係る捻回式ランプ４０用のソケット１の作用について、前記電極部抑え部材５による捻回式ランプ４０との電気的接触機能、装着、交換機能、及び、前記リング状バネ材７による捻回式ランプ４０の脱落防止機能を主にして説明する。
【００２６】
本実施例に係る捻回式ランプ４０用のソケット１において、前記一対の電極部抑え部材５のみソケット１内に配置した構成とした場合には、前記一対の電極装着穴部２２ｂ内に捻回式ランプ４０の一対の電極部４２ａ、４２ｂが捻回装着された状態で、各電極部４２ａ、４２ｂの外周に各々前記各電極部抑え部材５の各電極接触片６ｃが押圧接触されることになり、これにより、前記従来例のようにコイルバネを用いることなく、各電極部４２ａ、４２ｂは各電極接触片６ｃのバネ力により電極装着穴部２２ｂ内において位置規制され、電極挿入穴部２２ａ側への戻りが防止されて装着安定性が向上するとともに、各電極接触片６ｃと電極部４２ａ、４２ｂとの電気的接触状態も良好となる。
【００２７】
また、本実施例に係る捻回式ランプ４０用のソケット１において、前記一対の電極部抑え部材５をソケット１内に配置するとともに、前記リング状バネ材７もソケット１内に配置する構成とした場合には、前記電極部抑え部材５による効果を発揮することに加え、前記リング状バネ材７の直線部８ａ、８ｂを、前記挿入穴１２内に挿入される捻回式ランプ４０におけるランプ本体４１の外周部を挟み込むように各々押圧接触させることができ、これにより、捻回式ランプ４０のガタつきやブレを防止でき、更には捻回式ランプ４０のソケット１からの離脱防止を確実に実現でき、安全性に優れたソケット１とすることができる。
【００２８】
更に、本実施例に係る捻回式ランプ４０用のソケット１は、黒色に着色した絶縁材からなる上ソケット部１１を備えるので、捻回式ランプ４０によるランプグレアを防止できる効果も発揮する。
【産業上の利用可能性】
【００２９】
本考案の電極部抑え部材、リング状バネ材の構成は、上述した場合の他、例えば差込式ランプ用のソケット等にも広範に応用可能である。
【図面の簡単な説明】
【００３０】
【図１】本考案の実施例に係る捻回式ランプ用のソケットの平面図である。
【図２】本実施例に係る捻回式ランプ用のソケットの側面図である。
【図３】本実施例に係る捻回式ランプ用のソケットの部分断面図である。
【図４】図２のＡ−Ａ線概略断面図である。
【図５】本実施例に係る捻回式ランプ用のソケットにおける電極部抑え部材の斜視図である。
【図６】本実施例に係る捻回式ランプ用のソケットにおけるリング状バネ材の斜視図である。
【図７】従来の電球用ソケットの概略平面図である。
【図８】従来の電球用ソケットにおけるＵ状の接点体、コイルバネを示す拡大斜視図である。
【符号の説明】
【００３１】
１    捻回式ランプ用のソケット
２    ネジ
４    ソケット本体
５    電極部抑え部材
６ａ  基部
６ｂ  バネ片
６ｃ  電極接触片
７    リング状バネ材
８ａ  直線部
８ｂ  直線部
８ｃ  連結部
８ｄ  弧状突出部
８ｅ  弧状突出部
８ｆ  屈曲止部
８ｇ  屈曲止部
９    取付金具
９ａ  取付穴
９ｂ  取付穴
１１    上ソケット部
１２    挿入穴
２１    中ソケット部
２２    電極受穴
２２ａ  電極挿入穴部
２２ｂ  電極装着穴部
２３    テーパ穴部
２４    （最大）収容穴
３１    下ソケット部
４０    捻回式ランプ
４１    ランプ本体
４２ａ  電極部
４２ｂ  電極部
４３ａ  通電ケーブル
４３ｂ  通電ケーブル
【図１】
0003131214.tif 000003
【図２】
0003131214.tif 000004
【図３】
0003131214.tif 000005
【図４】
0003131214.tif 000006
【図５】
0003131214.tif 000007
【図６】
0003131214.tif 000008
【図７】
0003131214.tif 000009
【図８】
0003131214.tif 000010